(57)【要約】【課題】  テレビ放送のＣＭに関する詳細な情報を入手するために用いるテレビ放送録画装置、データベースサーバ、およびこれらを利用するＣＭ情報提供システムを提供する。【解決手段】  テレビ装置で表示されているデジタルテレビ放送データからＣＭ部分に関する付加情報データを抽出し、この付加情報データと前記ＣＭ部分に関して入力されたキーワードとをインターネットを介してデータベースサーバ７へ送信し、これに応答してＣＭ部分に関する詳細情報を受信するテレビ放送録画装置２と、ＣＭに関する詳細な情報を保存し、テレビ放送録画装置２からＣＭ部分に関する付加情報データとＣＭ部分に関して入力されたキーワードとを受信したときは、付加情報データ等に対応する第１情報および第２情報を抽出してテレビ放送録画装置２に送信するデータベースサーバとを備えるＣＭ情報提供システム１により所望のＣＭの詳細情報を提供することができる。【選択図】  図２
2006129349.tif 000002
【特許請求の範囲】
【請求項１】
ネットワークを経由してデータベースサーバと接続されたテレビ放送記録装置において、
ＣＭデータを含むテレビ番組データとこのテレビ番組データに関連する付加情報データとを有したデジタルテレビ放送データを受信するテレビ放送データ受信手段と、
前記受信したデジタルテレビ放送データを記憶するデータ記憶手段と、
このデータ記憶手段に記憶された前記デジタルテレビ放送データについて、所望のＣＭデータが指定された場合に、前記所望のＣＭデータに関連する付加情報データを抽出する付加情報抽出手段と、
この抽出された付加情報データと前記ＣＭデータに関して所望に入力されたキーワードとを前記ネットワークを介して前記データベースサーバに送信し、この送信に応答してデータベースサーバから送信された前記ＣＭデータに関する詳細情報を受信する送受信手段と、
を備えたことを特徴とするテレビ放送録画装置。
【請求項２】
前記送受信手段で受信した前記ＣＭデータに関する詳細情報を前記データ記憶手段に記憶させる制御手段を更に備えたことを特徴とする請求項１に記載のテレビ放送録画装置。
【請求項３】
ネットワークを経由してテレビ放送録画装置に接続されたデータベースサーバにおいて、
ＣＭに関する基本的な情報として、前記ＣＭに関する商品名又は役務名と、前記ＣＭの提供者名と、前記ＣＭに関する商品又は役務を詳細に説明したデータベースの所在情報と、前記ＣＭの提供者を詳細に説明したデータベースの所在情報とのうち、少なくとも１つを含む複数の第１の情報と、前記ＣＭに関する更に詳細な情報として、前記ＣＭの映像作品名と、前記ＣＭの映像作品の再生時間と、前記ＣＭに使用された楽曲に関連する情報と、前記ＣＭの出演者に関する情報と、前記ＣＭのスタッフに関する情報と、前記ＣＭの撮影場所と、前記ＣＭの企画者名とのうち、前記ＣＭの映像作品名を含んで２つ以上を含む複数の第２の情報とをそれぞれ保存した情報保存手段と、
前記テレビ放送録画装置から前記ＣＭデータに関連する付加情報データと、前記ＣＭデータに関して所望に入力されたキーワードとを前記ネットワークを経由して受信したとき、前記付加情報データと前記キーワードとにそれぞれ対応する前記第１及び第２の各情報、又は第２の情報のみを抽出して前記テレビ放送録画装置に送信する情報提供手段と、
を備えたことを特徴とするデータベースサーバ。
【請求項４】
テレビ放送記録装置とデータベースサーバとがネットワークを経由してそれぞれ接続されたＣＭ情報提供システムにおいて、
ＣＭデータを含むテレビ番組データとこのテレビ番組データに関連する付加情報データとを有したデジタルテレビ放送データを受信するテレビ放送データ受信手段と、前記受信したデジタルテレビ放送データを記憶するデータ記憶手段と、このデータ記憶手段に記憶された前記デジタルテレビ放送データについて、所望のＣＭデータが指定された場合に、前記所望のＣＭデータに関連する付加情報データを抽出する付加情報抽出手段と、この抽出された付加情報データと前記ＣＭデータに関して所望に入力されたキーワードとを前記ネットワークを介して前記データベースサーバに送信し、この送信に応答してデータベースサーバから送信された前記ＣＭデータに関する詳細情報を受信する送受信手段と、この送受信手段で受信した前記ＣＭデータに関する詳細情報を前記データ記憶手段に記憶させる制御手段とを有するテレビ放送録画装置と、
ＣＭに関する基本的な情報として、前記ＣＭに関する商品名又は役務名と、前記ＣＭの提供者名と、前記ＣＭに関する商品又は役務を詳細に説明したデータベースの所在情報と、前記ＣＭの提供者を詳細に説明したデータベースの所在情報とのうち、少なくとも１つを含む複数の第１の情報と、前記ＣＭに関する更に詳細な情報として、前記ＣＭの映像作品名と、前記ＣＭの映像作品の再生時間と、前記ＣＭに使用された楽曲に関連する情報と、前記ＣＭの出演者に関する情報と、前記ＣＭのスタッフに関する情報と、前記ＣＭの撮影場所と、前記ＣＭの企画者名とのうち、前記ＣＭの映像作品名を含んで２つ以上を含む複数の第２の情報とをそれぞれ保存した情報保存手段と、前記テレビ放送録画装置から前記ＣＭデータに関連する付加情報データと、前記ＣＭデータに関して所望に入力されたキーワードとを前記ネットワークを経由して受信したとき、前記付加情報データと前記キーワードとにそれぞれ対応する前記第１及び第２の各情報、又は第２の情報のみを抽出して前記テレビ放送録画装置に送信する情報提供手段とを有するデータベースサーバと、
を備えたことを特徴とするＣＭ情報提供システム。
【発明の詳細な説明】
【技術分野】
【０００１】
本発明は、デジタルテレビ放送のＣＭに関する情報の取得に用いて好適なテレビ放送録画装置、データベースサーバ、およびこれらを利用するＣＭ情報提供システムに関する。
【背景技術】
【０００２】
近年、テレビジョン（以下テレビと称する）放送のデジタル化により視聴者が双方向サービスを利用することが可能になり、テレビ番組を見ながらにして放送されている番組に関する付加情報等を入手することが可能になった。
【０００３】
この付加情報には、テレビの画面に番組表を表示し録画予約や番組検索を行うことができる電子番組ガイド（以下、「ＥＰＧ」（Electronic Program Guide）と称する）、またはデジタル放送の放送コンテンツに付与されている属性情報（以下、「メタデータ」と称する）などがある。これらＥＰＧやメタデータでは、主にテレビ番組本編に関する情報が提供されている。一方視聴者からは、テレビ番組本編以外のコマーシャルメッセージ（以下「ＣＭ」と称する）に関する情報の提供を要求されることが多くある。しかし、ＥＰＧやメタデータではＣＭに関して提供することができる情報が少ないために視聴者の要求に応えることができないという問題があった。
【０００４】
ＣＭに関する詳細な情報を提供するため、特許文献１では、視聴者が利用する端末装置とネットワークを介して接続されているサーバ装置にＣＭに関する情報を保存しておき、視聴者からの要求に応じてサーバ装置から視聴者が利用する端末に情報が送信される技術が記載されている。
【特許文献１】特開２００２−１５２６１６号公報
【発明の開示】
【発明が解決しようとする課題】
【０００５】
しかし、上記特許文献１では視聴者が利用する端末装置から送信されるＣＭのメタデータを基にサーバ内の情報を検索して抽出しているが、このメタデータにはＣＭに関する詳細な情報は含まれないため検索の精度が低くなり、所望の情報を特定し難い場合がある。また、特許文献１の技術はＣＭの商品または役務の購入または利用を簡便化するためのものであるため、購入または利用に関する情報以外は提供されていない。
【０００６】
本発明は上記事情に鑑みてなされたものであり、テレビ放送のＣＭに関する情報を高い精度で検索することができ、ＣＭに特化した詳細な情報を提供することができるテレビ放送録画装置、データベースサーバ、およびこれらを利用するＣＭ情報提供システムを提供することを目的とする。
【課題を解決するための手段】
【０００７】
上記目的を達成するための本発明の請求項１に記載のテレビ放送録画装置は、ネットワークを経由してデータベースサーバと接続され、ＣＭデータを含むテレビ番組データとこのテレビ番組データに関連する付加情報データとを有したデジタルテレビ放送データを受信するテレビ放送データ受信手段と、受信したデジタルテレビ放送データを記憶するデータ記憶手段と、このデータ記憶手段に記憶されたデジタルテレビ放送データについて、所望のＣＭデータが指定された場合に、所望のＣＭデータに関連する付加情報データを抽出する付加情報抽出手段と、この抽出された付加情報データとＣＭデータに関して所望に入力されたキーワードとをネットワークを介してデータベースサーバに送信し、この送信に応答してデータベースサーバから送信されたＣＭデータに関する詳細情報を受信する送受信手段とを備えたことを特徴とする。
【０００８】
また、請求項２は請求項１に記載のテレビ放送録画装置であり、送受信手段で受信したＣＭデータに関する詳細情報をデータ記憶手段に記憶させる制御手段を更に備えたことを特徴とする。
【０００９】
また、請求項３に記載のデータベースサーバは、ネットワークを経由してテレビ放送録画装置に接続され、ＣＭに関する基本的な情報として、ＣＭに関する商品名又は役務名と、ＣＭの提供者名と、ＣＭに関する商品又は役務を詳細に説明したデータベースの所在情報と、ＣＭの提供者を詳細に説明したデータベースの所在情報とのうち、少なくとも１つを含む複数の第１の情報と、ＣＭに関する更に詳細な情報として、ＣＭの映像作品名と、ＣＭの映像作品の再生時間と、ＣＭに使用された楽曲に関連する情報と、ＣＭの出演者に関する情報と、ＣＭのスタッフに関する情報と、ＣＭの撮影場所と、ＣＭの企画者名とのうち、ＣＭの映像作品名を含んで２つ以上を含む複数の第２の情報とをそれぞれ保存した情報保存手段と、テレビ放送録画装置からＣＭデータに関連する付加情報データと、ＣＭデータに関して所望に入力されたキーワードとをネットワークを経由して受信したとき、付加情報データとキーワードとにそれぞれ対応する第１及び第２の各情報、又は第２の情報のみを抽出してテレビ放送録画装置に送信する情報提供手段とを備えたことを特徴とする。
【００１０】
また、請求項４に記載のＣＭ情報提供システムは、テレビ放送記録装置とデータベースサーバとがネットワークを経由してそれぞれ接続され、ＣＭデータを含むテレビ番組データとこのテレビ番組データに関連する付加情報データとを有したデジタルテレビ放送データを受信するテレビ放送データ受信手段と、受信したデジタルテレビ放送データを記憶するデータ記憶手段と、このデータ記憶手段に記憶されたデジタルテレビ放送データについて、所望のＣＭデータが指定された場合に、所望のＣＭデータに関連する付加情報データを抽出する付加情報抽出手段と、この抽出された付加情報データとＣＭデータに関して所望に入力されたキーワードとをネットワークを介してデータベースサーバに送信し、この送信に応答してデータベースサーバから送信されたＣＭデータに関する詳細情報を受信する送受信手段と、この送受信手段で受信したＣＭデータに関する詳細情報をデータ記憶手段に記憶させる制御手段とを有するテレビ放送録画装置と、ＣＭに関する基本的な情報として、ＣＭに関する商品名又は役務名と、ＣＭの提供者名と、ＣＭに関する商品又は役務を詳細に説明したデータベースの所在情報と、ＣＭの提供者を詳細に説明したデータベースの所在情報とのうち、少なくとも１つを含む複数の第１の情報と、ＣＭに関する更に詳細な情報として、ＣＭの映像作品名と、ＣＭの映像作品の再生時間と、ＣＭに使用された楽曲に関連する情報と、ＣＭの出演者に関する情報と、ＣＭのスタッフに関する情報と、ＣＭの撮影場所と、ＣＭの企画者名とのうち、ＣＭの映像作品名を含んで２つ以上を含む複数の第２の情報とをそれぞれ保存した情報保存手段と、テレビ放送録画装置からＣＭデータに関連する付加情報データと、ＣＭデータに関して所望に入力されたキーワードとをネットワークを経由して受信したとき、付加情報データとキーワードとにそれぞれ対応する第１及び第２の各情報、又は第２の情報のみを抽出してテレビ放送録画装置に送信する情報提供手段とを有するデータベースサーバとを備えたことを特徴とする。
【発明の効果】
【００１１】
本発明のテレビ放送録画装置によれば、テレビ装置に表示されたテレビ放送のＣＭ部分に関する付加情報および使用者に入力されたキーワードによりＣＭに関する情報の検索要求をすることができ、高精度の検索結果を得ることができる。
【００１２】
またデータベースサーバは、ＣＭに使用されている楽曲の曲名、演奏者名など音声に関する情報の他、映像作品としての情報等の詳細な情報を提供することができる。この詳細な情報により、テレビ放送録画装置に録画されたＣＭのタイトル表示、ＣＭ作品のジャンル分け表示、同一商品に関するＣＭのバリエーション検索、ＣＭ出演者名による出演ＣＭ検索等、録画済みＣＭ作品の高度な管理を実現することができる。
【発明を実施するための最良の形態】
【００１３】
本発明の一実施形態を、図１〜図１９を用いて説明する。
【００１４】
《ＣＭ情報提供システムの構成》
図１は本発明のＣＭ情報提供システムの一実施形態を示す全体図であり、図２は本発明のＣＭ情報提供システムの一実施形態を示すブロック図である。
【００１５】
本実施形態のＣＭ情報提供システム１は、デジタルテレビ放送のデータを受信および記憶するテレビ放送録画装置としてのＨＤＤレコーダ２と、このＨＤＤレコーダ２を操作するためのリモコン装置３と、ＨＤＤレコーダ２に接続されているテレビ装置４と、ＨＤＤレコーダ２にインターネット５を経由して接続されているウェブサーバ６およびデータベースサーバ７とを備える。
【００１６】
なお、本実施の形態例では上記各装置をインターネット５を介して接続する例とするが、この接続網はインターネットに限らず、イントラネットや公衆回線網等、又はこれらを複合的に接続したネットワークであってもよいものである。
【００１７】
〈ＨＤＤレコーダ２〉
本実施形態のＨＤＤレコーダ２は、テレビ放送データ受信部２０と、データ処理部２１と、データ記憶部２２と、ＨＤＤレコーダ側データ出力部２３と、マーク付加処理部２４と、文字データ入力部２５と、ネットワーク接続部２６と、リモコン受光部２７と、制御部２８とを有する。
【００１８】
テレビ放送データ受信部２０は、圧縮デジタルテレビ放送を受信して復調し、テレビ番組データとこのテレビ番組データに関する付加情報とを含む圧縮デジタルテレビ放送データを取得してデータ処理部２１に送信する。なお、放送形式は、地上波デジタル放送、ＢＳデジタル放送、ＣＳ放送、又はＣＡＴＶ等のデジタル放送形式について適用することが可能である。
【００１９】
データ処理部２１は、テレビ放送データ受信部２０で受信した圧縮デジタルテレビ放送データを、制御部２８を経由してデータ記憶部２２に送信する。また再生するときは、データ記憶部２２から制御部２８を経由して該当する圧縮デジタルテレビ放送データを受信して伸張し、ＨＤＤレコーダ側データ出力部２３に送信する。
【００２０】
データ記憶部２２は、圧縮デジタルテレビ放送データを記憶することにより録画する。録画された圧縮デジタルテレビ放送データを再生するときは、該当する圧縮データを制御部２８を経由してデータ処理部２１に送信する。
【００２１】
ＨＤＤレコーダ側データ出力部２３は、データ処理部２１で伸張されたデジタルテレビ放送データを、接続されているテレビ装置４に出力する。
【００２２】
マーク付加処理部２４は、前記テレビ装置４に出力し再生されたデジタルテレビ放送データの利用者により選択されたＣＭ部分を抽出してマークを付する。
【００２３】
文字データ入力部２５は、利用者により選択されたＣＭ部分に関するキーワードとしての文字データを入力する。
【００２４】
ネットワーク接続部２６は、ＣＭに関する詳細情報が保存されているデータベースサーバ７およびウェブブラウザで表示可能なＨＴＭＬ形式のドキュメントを有するウェブサーバ６にインターネット５を経由して接続され、これらとデータの送受信を行う。
【００２５】
リモコン受光部２７は、使用者が操作するリモコン装置３から発信される赤外線を受光する。この赤外線により受信した内容を制御部２８に送信する。
【００２６】
制御部２８は、テレビ放送データ受信部２０と、データ処理部２１と、データ記憶部２２と、ＨＤＤレコーダ側データ出力部２３と、マーク付加処理部２４と、文字データ入力部２５と、ネットワーク接続部２６と、リモコン受光部２７とを制御する。
【００２７】
〈リモコン装置３〉
本実施形態のＨＤＤレコーダ２の操作に使用するリモコン装置３の平面図を図３に示す。
【００２８】
本実施形態のリモコン装置３には、ＨＤＤレコーダ２を操作するためのボタンが設けられている。使用者により要求する内容のボタンが押下されることにより、要求内容を赤外線によってＨＤＤレコーダ２に発信する。
【００２９】
〈テレビ装置４〉
本実施形態のテレビ装置４は、テレビ装置側データ入力部４０と、表示部４１とを有する。
【００３０】
テレビ装置側データ入力部４０は、ＨＤＤレコーダ側データ出力部２３から出力されたデジタルテレビ放送データを入力し、表示部４１に送信する。表示部４１は、テレビ装置側データ入力部４０から受信したデジタルテレビ放送データを映像および音声として再生する。
【００３１】
〈データベースサーバ７〉
本実施形態のデータベースサーバ７はインターネット５を経由してＨＤＤレコーダ２に接続され、情報保存部７１と情報提供部７２とを備える。情報保存部７１にはＣＭに関する情報に特化したデータが保存されており、ＣＭに関する主要な情報である第１情報と、第１情報よりさらに詳細な第２情報とが含まれている。
【００３２】
第１情報の一例を図４に、第２情報の一例を図５に示す。
【００３３】
第１情報は、データレコードＩＤと、ＣＭの提供者名または団体名と、ＣＭ提供者または団体が詳細に説明されているウェブサイトのＵＲＬ情報と、ＣＭの商品名または役務名と、商品または役務が詳細に説明されているウェブサイトのＵＲＬ情報と、販売用のウェブサイトのＵＲＬと、商品またはサービスの分類キーワードと、第２情報のデータレコードＩＤとのうち少なくとも１つを要素として有する。この分類キーワードおよび第２情報のデータレコードＩＤは複数登録することが可能である。
【００３４】
第２情報は、データレコードＩＤと、ＣＭの映像作品名または通称と、作品の時間と、ＣＭに使用された楽曲の曲名と、演奏者名と、作曲者名と、作詞者名と、ＣＭの出演者名と、ＣＭの撮影に関わる撮影監督名と、カメラマン名、特殊効果担当者名または特殊効果担当団体名と、ＣＧ担当者名または団体名と、撮影場所と、ＣＭ企画団体名と、ＣＭ企画演出者名と、詳細説明記事またはウェブサイトのＵＲＬと、第一グループのデータレコードＩＤと、関連する第２情報のデータレコードＩＤとのうち、ＣＭの映像作品名を含む２つ以上を要素として有する。第２情報の要素の中で、演奏者名と、作曲者名と、作詞者名と、ＣＭの出演者名と、ＣＭの撮影に関わる撮影監督名と、カメラマン名、特殊効果担当者名または特殊効果担当団体名と、ＣＧ担当者名または団体名と、撮影場所と、詳細説明記事またはウェブサイトのＵＲＬと、関連する第２情報のデータレコードＩＤとは複数登録可能である。詳細説明記事またはウェブサイトのＵＲＬはウェブサーバ６で提供される情報を想定しているが、他のウェブサーバであってもよい。第１情報に複数の第２情報が関連付けられている場合、その第２情報は作品時間が異なる場合に、ＣＭバリエーションにより同じ出演者でも異なる映像内容の場合や、出演者が異なっている場合等がある。第２情報の第２グループの関連ＩＤは複数登録することも可能である。
【００３５】
情報提供部７２は、ＨＤＤレコーダ２からＣＭ部分に関する付加情報データおよびキーワードを受信したときは、この付加情報データおよびキーワードに対応する第１及び第２情報、又は第２情報のみを抽出してＨＤＤレコーダ２に送信する。
【００３６】
《ＣＭ情報提供システムの動作》
次に、ＣＭ情報提供システムの一実施形態による動作について図６を参照して説明する。本実施形態によるＣＭ情報システムのＨＤＤレコーダ２およびテレビ装置４への操作は、使用者によりリモコン装置３が操作されることにより行われるものとする。
【００３７】
〈テレビ放送の録画および再生〉
図６は、テレビ放送を録画し、再生する場合の動作を示す。まずＨＤＤレコーダ２のテレビ放送データ受信部２０において、圧縮されたデジタルテレビ放送の電波が受信される（Ｓ１）。受信した電波は復調され、圧縮テレビ番組データとこのテレビ番組データに関する付加情報を含む圧縮デジタルテレビ放送データが取得される（Ｓ２）。取得された圧縮デジタルテレビ放送データは、データ処理部２１および制御部２８を経由してデータ記憶部２２に送信され、データ記憶部２２に記憶されることにより、録画される（Ｓ３）。
【００３８】
録画されたデータが再生されるときは、該当する圧縮デジタルテレビ放送データがデータ記憶部２２から制御部２８を経由してデータ処理部２１に供給され、データ処理部２１で圧縮デジタルテレビ放送データがデジタルテレビ放送データに伸張される（Ｓ４）。伸張されたデジタルテレビ放送データはＨＤＤレコーダ側データ出力部２３に供給され、接続されているテレビ装置４に出力される。テレビ装置側データ入力部４０において、このデジタルテレビ放送データが入力され、表示部４１において映像および音声として再生される（Ｓ５）。
【００３９】
〈録画されたデータへのマーク付加によるプレイリストへの登録〉
マーク付加処理部２４の機能により、ＨＤＤレコーダ２に録画済みのデータの中から選択された部分に対してマークを付与することができる。マークを付与する動作について、図７〜図１１を参照して説明する。
【００４０】
まず、テレビ装置４の表示部４１にＨＤＤレコーダ２から送信されたデータが表示され（Ｓ２１、２２）、図８に示すような初期画面であるトップメニュー画面が表示される（Ｓ２３）。トップメニュー画面では、ＨＤＤレコーダ２に録画されているデータの付加情報データから得られる番組名の一覧を表示させる「録画一覧」（８−１）、ＨＤＤレコーダ２に録画されている番組の中から使用者によりマークが付与されたＣＭ部分であるプレイリストの一覧を表示させる「プレイリスト一覧」（８−２）、録画一覧で表示される番組の編集、削除、または分割、およびプレイリスト一覧で示されるＣＭの編集、削除、またはマーク付与によるプレイリストの新規作成を行う「ライブラリ整理」（８−３）、プレイリストに登録されているＣＭ部分に関する情報を検索するための検索条件を整理するための「ＣＭ情報整理」（８−４）などのメニューが表示され、それらをリモコン装置３で選択することができる。
【００４１】
トップメニュー画面が表示された状態で、メニューを選択する選択枠（８−１１）で「ライブラリ整理」（８−３）が選択され、表示部４１に図９に示すようなライブラリ整理画面が表示される（Ｓ２４）。ライブラリ整理画面では、録画一覧の表示、その録画一覧から選択された番組の編集、削除、および分割、さらにプレイリスト一覧の表示、そのプレイリスト一覧から選択されたＣＭ部分の編集、削除、プレイリスト一覧へのＣＭの追加などの操作を選択することができる。
【００４２】
ライブラリ整理画面で「新規作成」が選択されると、図１０に示すようなプレイリスト新規作成画面が表示部４１に表示される（Ｓ２５）。プレイリスト新規作成画面では、データ記憶部２２に録画されている番組の録画順に付せられた番組番号、番組名、およびその録画時間などの番組情報（９−２）（９−４）と合わせてその番組の一画面が静止画像として左枠内（９−１）（９−３）に表示される。
【００４３】
画面に表示しきれない他の番組情報等は、上向きまたは下向き三角記号（９−５）（９−６）が操作されることにより、非表示状態にあった番組が表示される。
【００４４】
図１０は、番組番号「２」の番組名「アメリカ紀行」が選択された状態を示す（Ｓ２６）。選択された状態で「決定」ボタン（３−２７）が操作されることにより、図１１のような番組名「アメリカ紀行」のプレイリスト編集画面が表示され、表示画面の左上枠内（９−７）に番組が再生される。必要に応じて早送り（３−３３）、巻戻し（３−３０）、または一時停止（３−３６）が行われる（Ｓ２７）。
【００４５】
それらの操作により使用者が開始点としてマークを付与したいＣＭ画面が表示されたときは、「決定」ボタン（３−２７）が操作されることによりマークが付与される（Ｓ２８）。図１１は、番組「２」の再生開始から３分７秒経過した画面に開始点としてマークが付与された状態が示されている。開始点としてマークが付与された画面は、表示画面の左下左の小枠内（９−８）に静止画面として表示される。
【００４６】
開始点のマーク付与後、表示画面の左上枠内（９−７）では番組の再生が継続され、使用者が終了点としてマークしたいＣＭ画面が表示されたときは「決定」ボタン（３−２７）が操作されることによりマークが付与される（Ｓ３０）。終了点としてマークが付与された画面は、表示画面の左下右の小枠内（９−９）に静止画面として表示される。これにより、所望のＣＭ部分をプレイリストへ登録するためのマーク付与が完了する。
【００４７】
終了点のマーク付与後、表示画面の左上枠内（９−７）では番組の再生が継続される。さらにマークの付与を行う場合は、開始点を探す手順から繰り返す（Ｓ３１「ＮＯ」）。マークの付与が終了したときには（Ｓ３１「ＹＥＳ」）、表示画面の「確定」（９−１１）が選択されることにより、マークが付与されたＣＭ部分のプレイリストへの登録が確定される（Ｓ３２）。ここで、「中止」（９−１２）が選択されると、マーク付与の処理は反映されずにプレイリスト編集の画面は終了する。その後「トップメニュー」ボタン（３−２１）が操作されることにより（Ｓ３３）トップメニュー画面が表示され、マーク付与の処理は終了する（Ｓ３４）。
【００４８】
〈ＣＭ情報の検索〉
上記のマーク付与により、所望のＣＭ部分がプレイリストとして登録されていることを前提としてＣＭ情報を検索する動作について図８、図１２〜図１９を参照して説明する。
【００４９】
まず、テレビ装置４の表示部４１にＨＤＤレコーダ２から受信したデータが表示され（Ｓ４１、４２）、図８に示すような初期画面であるトップメニュー画面が表示される（Ｓ４３）。
【００５０】
トップメニュー画面が表示され選択枠で「ＣＭ情報整理」（８−４）が選択され、表示部４１に図１３に示すようなＣＭ整理画面が表示される（Ｓ４４）。ＣＭ整理画面では、プレイリストに登録されているＣＭ部分の登録順に付せられたＣＭ番号、ＣＭの作品名、および登録時間などのＣＭ情報と合わせて登録されているＣＭの一画面が左枠内（１１−１）（１１−３）に静止画像として表示される。
【００５１】
図１３は、ＣＭ番号「１」が選択された状態を示す（Ｓ４５）。選択された状態で「決定」ボタン（３−２７）が操作されることにより、図１４のようなＣＭ番号「１」のＣＭ情報の検索画面が表示される。このＣＭ情報の検索画面には放送が録画されたときの付加情報データにより、既に録画日時（１１−９）、放送局（１１−１０）が表示されている。放送が録画されたときの付加情報では得ることができないＣＭ提供者である広告主名（１１−１１）、商品またはサービスの名称としての商品名（１１−１２）、および、商品またはサービスの分類に関わる種別（１１−１３）については、使用者により文字データ入力部２５の機能を使用して入力されることにより検索画面に表示可能である（Ｓ４６）。表示される文字データはキーワードとして複数設定可能であるが、全てのキーワードが設定されている必要はない。使用者が文字を入力するときには、リモコン装置３の操作により該当欄に選択枠を移動させた状態で「メニュー」ボタン（３−２２）が操作されることにより、表示画面が１１（ｃ）の文字入力画面に切り替わる。文字入力の方法およびそれに使用する画面は図１５に限定されない。
【００５２】
ＣＭ情報の検索画面への入力が完了したときは、「検索」（１１−１４）に選択枠を移動させた状態で「決定」ボタン（３−２７）が操作されることにより、ＣＭ情報の検索画面に表示されたデータがネットワーク接続部２６からインターネット５を経由して接続されたデータベースサーバ７に送信されるとともに、検索が要求される（Ｓ４７）。
【００５３】
データベースサーバ７で検索が行われる際、ＣＭ情報の検索画面で入力されたキーワードの数により、検索結果が複数抽出される場合がある。
【００５４】
データベースサーバ７で検索および抽出が行われた後、検索結果のデータがデータベースサーバ７からＨＤＤレコーダ２に送信される（Ｓ４８）。送信されるデータにより、検索で抽出されたデータの有無が判別される（Ｓ４９）。抽出されたデータがある場合には、さらに抽出されたデータが１件か複数件か判別される（Ｓ５０）。抽出されたデータが１件であった場合は、図１８に示すような確定された検索結果表示画面が表示される。抽出されたデータが複数あった場合には、図１６に示すような検索結果表示画面にて所望のＣＭ詳細情報の候補ＣＭ一覧が表示される（Ｓ５１）。
【００５５】
複数のデータが抽出された場合の検索結果表示画面では、抽出された順に付せられた候補ＣＭ番号（１２−３）、商品名、検索により得られたＣＭの作品名（１２−５）が表示される。また、さらに詳細な情報を表示するための「詳細」欄（１２−４）が表示されている。
【００５６】
使用者によりこれらの候補ＣＭ一覧の情報から判断がついた場合には、該当する「候補番号」（１２−３）（１２−６）に選択枠を移動させて「決定」ボタン（３−２７）が操作されることにより、所望のＣＭ詳細情報が確定される（Ｓ５２）。これらの候補ＣＭ一覧の情報からだけでは判断がつかない場合には、それぞれの候補の「詳細」枠が選択され、データベースサーバ７から取得した第１情報および第２情報から選択され表示された項目により判断され、所望のＣＭ詳細情報が確定される（Ｓ５２）。
【００５７】
所望のＣＭ詳細情報の候補ＣＭから選択が完了したときは、図１８に示すような確定された検索結果表示画面が表示される（Ｓ５３）。確定された検索結果表示画面上で「保存」（１２−９）に選択枠を移動させ「決定」ボタン（３−２７）が操作されることにより、この検索結果の対象となるＣＭのプレイリストに関連づけられて保存される（Ｓ５４）。保存が完了したときは、「トップメニュー」ボタン（３−２１）が操作されることにより、表示画面がＣＭ情報整理画面からトップメニューに変わり（Ｓ５５）、処理が終了する（Ｓ５６）。
【００５８】
データベースサーバ７での検索において１件も抽出されなかった場合、図１９に示すように、該当するデータが存在しなかったことを示すメッセージ（１３−１）が表示され（Ｓ５７）、「トップメニュー」ボタン（３−２１）が操作されることにより（Ｓ５５）利用者がメッセージを確認したと判断される。表示画面にトップメニュー画面が表示されることにより、ＣＭ情報の検索が終了する（Ｓ５６）。
【００５９】
本実施形態によるＣＭ情報提供システムによれば、検索して得たＣＭに関する詳細な情報を録画済みのＣＭ部分に関連付けて保存することが可能であり、検索した内容を再度閲覧したいときに便利である。
【００６０】
本実施形態においてはＨＤＤに録画するＨＤＤレコーダを使って説明したが、ディスク媒体を差し替え可能なＤＶＤなどの光学式記録媒体を利用したレコーダを使用してもよい。
【００６１】
なお、データベースサーバ７はＨＤＤレコーダ２を設置してある場所とは遠く離れた場所に設置してもよいし、近くの場所に設置してもよいものである。例えば、ＨＤＤレコーダ２を視聴者宅に設置し、データベースサーバ７を外部の広告管理会社等に設置するという実施形態や、データベースサーバ７を視聴者宅の視聴者が有するパーソナルコンピュータで構成してＨＤＤレコーダ２の近傍に設置するという実施形態が可能であり、これら設置の形態はＣＭ情報提供システムのシステム形態によって適宜変更するものである。
【図面の簡単な説明】
【００６２】
【図１】本発明のＣＭ情報提供システムの一実施形態を示す全体図である。
【図２】本発明のＣＭ情報提供システムの一実施形態を示すブロック図である。
【図３】本発明のＨＤＤレコーダの操作に使用するリモコン装置の一実施形態を示す平面図である。
【図４】本発明のデータベースサーバに記憶されているデータベ−スに含まれる第１情報データの一例を示す説明図である。
【図５】本発明のデータベースサーバに記憶されているデータベ−スに含まれる第２情報データの一例を示す説明図である。
【図６】本発明のＣＭ情報提供システムにおけるテレビ放送の録画および再生を行う動作を示すフローチャートである。
【図７】本発明のＣＭ情報提供システムにおけるプレイリスト登録のためのマーク付与を行う動作を示すフローチャートである。
【図８】本発明のＣＭ情報提供システムにおいて表示画面にトップメニュー画面の一例を表示させた状態を示す説明図である。
【図９】本発明のＣＭ情報提供システムにおいて表示画面にライブラリ整理画面の一例を表示させた状態を示す説明図である。
【図１０】本発明のＣＭ情報提供システムにおいて表示画面にプレイリスト新規作成処理での番組選択を行う画面を表示させた状態を示す説明図である。
【図１１】本発明のＣＭ情報提供システムにおいて表示画面にプレイリスト新規作成処理での所望のＣＭ部分を選択する画面を表示させた状態を示す説明図である。
【図１２】本発明のＣＭ情報提供システムにおけるＣＭ検索を行う動作を示すフローチャートである。
【図１３】本発明のＣＭ情報提供システムにおいて表示画面にＣＭ情報整理画面を表示させた状態を示す説明図である。
【図１４】本発明のＣＭ情報提供システムにおいて表示画面にＣＭ情報検索画面を表示させた状態を示す説明図である。
【図１５】本発明のＣＭ情報提供システムにおいてＣＭ情報検索画面に入力するための文字入力画面を表示させた状態を示す説明図である。
【図１６】本発明のＣＭ情報提供システムにおいて表示画面にＣＭ情報の検索結果を表示させた状態を示す説明図である。
【図１７】本発明のＣＭ情報提供システムにおいて表示画面にＣＭ情報の検索結果を表示させた状態を示す説明図である。
【図１８】本発明のＣＭ情報提供システムにおいて表示画面にＣＭ情報の検索結果確定画面を表示させた状態を示す説明図である。
【図１９】本発明のＣＭ情報提供システムにおいて表示画面にＣＭ情報の検索の結果該当するデータがなかった場合の画面を表示させた状態を示す説明図である。
【符号の説明】
【００６３】
１  ＣＭ情報提供システム
２  ＨＤＤレコーダ
３  リモコン装置
４  テレビ装置
５  インターネット
６  ウェブサーバ
７  データベースサーバ
２０  テレビ放送データ受信部
２１  データ処理部
２２  データ記憶部
２３  ＨＤＤレコードダ側データ出力部
２４  マーク付加処理部
２５  文字データ入力部
２６  ネットワーク接続部
２７  リモコン受光部
２８  制御部
４１  テレビ装置側データ入力部
４２  表示部
７１  情報保存部
７２  情報提供部
【図１】
2006129349.tif 000003
【図２】
2006129349.tif 000004
【図３】
2006129349.tif 000005
【図４】
2006129349.tif 000006
【図５】
2006129349.tif 000007
【図６】
2006129349.tif 000008
【図７】
2006129349.tif 000009
【図８】
2006129349.tif 000010
【図９】
2006129349.tif 000011
【図１０】
2006129349.tif 000012
【図１１】
2006129349.tif 000013
【図１２】
2006129349.tif 000014
【図１３】
2006129349.tif 000015
【図１４】
2006129349.tif 000016
【図１５】
2006129349.tif 000017
【図１６】
2006129349.tif 000018
【図１７】
2006129349.tif 000019
【図１８】
2006129349.tif 000020
【図１９】
2006129349.tif 000021